(57)【特許請求の範囲】
【請求項１】
上下に枢着部を有する長尺板状体からなるシャッタースラットを前記上下の枢着部相互を回動自在に遊合することで連鎖状に多数連結したシャッターカーテンを備えた静音シャッターにおいて、
前記シャッタースラットの回動自在に遊合する上下枢着部内に、ベンゾチアジル基を持つ化合物、ベンゾトリアゾール基を持つ化合物、ジフェニルアクリレート基を持つ化合物、あるいはベンゾフェノン基を持つ化合物からなる活性成分を含む制振材を配置したことを特徴とする静音シャッター。
【請求項２】
制振材が上下枢着部の内側形状に対応して棒状または細板状であることを特徴とする請求項１記載の静音シャッター。
【発明の詳細な説明】
【０００１】
【発明の属する技術分野】
本発明は、サッシ窓の雨戸や車庫の扉などに用いる静音シャッターに関する。詳細には、当該シャッターを開閉する時に、シャッタースラット同士の衝突、摺接により発生する騒音、あるいはシャッターを閉めたときのシャッターカーテンとガイドレールとの間で生じるガタ付き音を効果的に防止できる静音シャッターに関する。
【０００２】
【従来の技術】
従来、サッシ窓の雨戸や車庫の扉などに用いられるシャッター１としては、例えば図８に示すように、金属製の長尺板状体を折り曲げ加工して形成された多数のシャッタースラット２を連結して上下開閉するようにしたシャッターカーテン３と、このシャッターカーテン３を巻装する巻取ドラム４と、この巻取ドラム４を内装し、サッシ窓や車庫の開口部上方に水平に取付けられるシャッターケース５と、前記開口部の両側垂直方向に取付けられ前記シャッターカーテン２の開閉ガイドとなる一対の溝状のガイドレール６とからなるものが知られている。
【０００３】
【発明が解決しようとする課題】
ところが、従来のシャッター１にあっては、サッシ窓や車庫の開口部を開閉するシャッターカーテン３が金属製の長尺板状体を折り曲げ加工したシャッタースラット２から構成されており、しかもシャッターカーテン３の開閉時に開閉ガイドとなるガイドレール６も金属製であることから、シャッター１を開閉する時に、シャッタースラット２同士の衝突、摺接により騒音が発生していた。
【０００４】
また、シャッター１を閉めた状態でこれに強風が当たると、その風圧によりシャッターカーテン３が揺動してガイドレール６に当たり、ガタ付き音が発生していた。
【０００５】
サッシ窓や車庫に取り付けられたシャッターは、夜間は閉められることが多いので、夜中、強風で煽られてガタ付き音が発生すると、その騒音は家主だけではなく、近隣にも多大な迷惑を掛けていた。
【０００６】
このような事情から、当該シャッターの開閉時に生じる騒音や閉状態での風圧によるガタ付き音に対する対策が強く求められていた。
【０００７】
本発明は、このような要望に応えるべくなされたものであり、シャッターを開閉する時に、シャッタースラット同士の衝突、摺接により発生する騒音、あるいはシャッターを閉めたときのシャッターカーテンとガイドレールとの間で生じるガタ付き音を効果的に防止できる静音シャッターを提供することを目的とするものである。
【０００８】
【課題を解決するための手段】
上記目的を達成するため、請求項１記載の発明は、上下に枢着部を有する長尺板状体からなるシャッタースラットを前記上下の枢着部相互を回動自在に遊合することで連鎖状に多数連結したシャッターカーテンを備えた静音シャッターにおいて、前記シャッタースラットの回動自在に遊合する上下枢着部内に、ベンゾチアジル基を持つ化合物、ベンゾトリアゾール基を持つ化合物、ジフェニルアクリレート基を持つ化合物、あるいはベンゾフェノン基を持つ化合物からなる活性成分を含む制振材を配置したことを特徴とする静音シャッターをその要旨とした。
【０００９】
請求項２記載の発明は、制振材が、上下枢着部の内側形状に対応して棒状または細板状であることを特徴とする請求項１記載の静音シャッターをその要旨とした。
【００１０】（削除）
【００１１】
【発明の実施の形態】
以下、本発明の静音シャッターを図面に示した好ましい実施の形態に従って更に詳しく説明する。図１〜図３に示す静音シャッター１１は、多数のシャッタースラット１２を連結して開閉可能としたシャッターカーテン１３と、シャッターカーテン１３の最上部のシャッタースラット１２がビス１７で固定され、このシャッターカーテン１３を巻装する巻取ドラム１４と、この巻取ドラム１４を内装し、サッシ窓や車庫の開口部上方に水平に取付けられるシャッターケース１５と、前記開口部両側に垂直方向に取付けられ前記シャッターカーテン１２の開閉ガイドとなる一対のガイドレール１６とからなる。
【００１２】
シャッタースラット１２は、所定の上下方向長さと左右方向長さを有する長尺板状体を折り曲げ加工、つまり板金加工したものであり、上下方向上部の上枢着部１２ａと、この上枢着部１２ａと連続した板状部１２ｂと、この板状部１２ｂの下端部に一体的に設けた水切り部１２ｃと、前記板状部１２ｂの下端部に設けた斜め下端寄り部１２ｄと、この斜め下端寄り部１２ｄの下端部と連続した下枢着部１２ｅとからなる。
【００１３】
前記上枢着部１２ａは板の上縁部をほぼ円形断面形状に折り曲げてあり、この上枢着部１２ａの下部と連続した部分をほぼ直線断面形状としてこれを板状部１２ｂとしてある。また板状部１２ｂの下端縁を折り返して水切り部１２ｃとし、その折り返した上部から斜めに下向きに折り曲げて斜め下端寄り部１２ｄとしてある。また、斜め下端寄り部分１４の下端部と連続した下縁部をほぼ円形断面形状に折り曲げてこれを下枢着部１２ｅとした。前記水切り部１２ｃは斜め下端寄り部１２ｄよりも内側にあり、板状部１２ｂに沿って流れ落ちた雨水はこの水切り部１３から落下するようになっている。
【００１４】
シャッタースラット１２は、図１及び図３に示すように、上下に隣接する上側のシャッタースラット１２の下枢着部１２ｅと下側のシャッタースラット１２の上枢着部１２ａを遊嵌して回動自在に連結されている。この上下隣接するシャッタースラット１２の連結された下枢着部１２ｅ及び上枢着部１２ａ内に制振材２０が嵌挿されている。
【００１５】
遊嵌された下枢着部１２ｅ及び上枢着部１２ａの内側形状は、図１〜図３に示すようにほぼ棒状または細板状となっている。このため、この下枢着部１２ｅ及び上枢着部１２ａ内に嵌挿される制振材２０も、これに対応して棒状または細板状とするのが望ましい。
【００１６】
制振材２０としては、粘弾特性を有するベース材料に、粘弾特性（制振性能）をさらに高める目的で、ベンゾチアジル基を持つ化合物、ベンゾトリアゾール基を持つ化合物、ジフェニルアクリレート基を持つ化合物、あるいはベンゾフェノン基を持つ化合物からなる活性成分を配合したものを用いる。この制振材２０を前記下枢着部１２ｅ及び上枢着部１２ａ内に配することにより、シャッタースラット１２同士の衝突、摺接により発生する騒音、あるいはシャッター１１を閉めたときのシャッターカーテン１３とガイドレール１６との間で生じるガタ付き音を効果的に防止することができる。
【００１７】（削除）
【００１８】
この制振材のベース材料としては、例えばポリ塩化ビニル、塩素化ポリエチレン（ＣＰＥ）、ポリプロピレン（ＰＰ）、ポリアミド（ＰＡ）、ポリエステル（ＰＥＴ）、ポリカーボネート、エポキシ、エチレン−酢ビ共重合体、ポリメタクリル酸メチル、ポリフッ化ビニリデン、ポリイソプレン、ポリスチレン（ＰＳ）、スチレン−ブタジエン−アクリロニトリル共重合体（ＡＢＳ樹脂）、スチレン−アクリロニトリル共重合体（ＡＳ樹脂）等のポリマー、あるいはアクリロニトリル−ブタジエンゴム（ＮＢＲ）、スチレン−ブタジエンゴム（ＳＢＲ）、ブタジエンゴム（ＢＲ）、天然ゴム（ＮＲ）、イソプレンゴム（ＩＲ）等のゴム系ポリマー中から選ばれた１種若しくはそれらの混合物を用いることができる。
【００１９】
活性成分とは、前記ベース材料における双極子モーメントの量を飛躍的に増加させる成分であり、当該活性成分そのものが双極子モーメント量が大きいもの、あるいは活性成分そのものの双極子モーメント量は小さいが、当該活性成分を配合することで、ベース材料における双極子モーメント量を飛躍的に増加させることができる成分をいう。
【００２０】
図４には振動エネルギー（以下、単にエネルギーと称す）が伝達される前のベース材料３１内部における双極子３２の配置状態を示した。この双極子３２の配置状態は安定な状態にあると言える。
【００２１】
ところが、エネルギーが伝達されることで、ベース材料３１内部の存在する双極子３２には変位が生じ、図５に示すように、ベース材料３１内部における各双極子３２は不安定な状態に置かれることになり、各双極子３２は、図４に示すような安定な状態に戻ろうとする。
【００２２】
このとき、エネルギーの消費が生じることになる。こうした、ベース材料３１内部における双極子の変位、双極子の復元作用によるエネルギー消費を通じて、エネルギーの吸収が生じるものと考えられる。尚、双極子３２に変位が生じるとは、ベース材料３１内部における各双極子３２が回転したり、位相がズレたりすることをいう。
【００２３】
このような振動減衰のメカニズムから、図４及び図５に示すようなベース材料３１内部における双極子モーメントの量が大きくなればなる程、そのベース材料３１の持つ減衰性（制振性能）も高くなると考えられる。
【００２４】
活性成分は、これをベース材料に配合することで、ベース材料３１に生じる双極子モーメントの量が、図６に示すように、同じ温度、エネルギー条件の下で３倍とか、１０倍とかいった量に増加させる機能を持っている。これに伴って、エネルギーが伝達されたときの双極子の復元作用によるエネルギー消費量も飛躍的に増大することになり、予測を遥かに超えた振動吸収性能が生じることになると考えられる。
【００２５】
このような作用効果を導く活性成分としては、例えばＮ、Ｎ−ジシクロヘキシルベンゾチアジル−２−スルフェンアミド（ＤＣＨＢＳＡ）、２−メルカプトベンゾチアゾール（ＭＢＴ）、ジベンゾチアジルスルフィド（ＭＢＴＳ）、Ｎ−シクロヘキシルベンゾチアジル−２−スルフェンアミド（ＣＢＳ）、Ｎ−ｔｅｒｔ−ブチルベンゾチアジル−２−スルフェンアミド（ＢＢＳ）、Ｎ−オキシジエチレンベンゾチアジル−２−スルフェンアミド（ＯＢＳ）、Ｎ、Ｎ−ジイソプロピルベンゾチアジル−２−スルフェンアミド（ＤＰＢＳ）などのベンゾチアジル基を持つ化合物、ベンゼン環にアゾール基が結合したベンゾトリアゾールを母核とし、これにフェニル基が結合した２−｛２′−ハイドロキシ−３′−（３″，４″，５″，６″テトラハイドロフタルイミドメチル）−５′−メチルフェニル｝−ベンゾトリアゾール（２ＨＰＭＭＢ）、２−｛２′−ハイドロキシ−５′−メチルフェニル｝−ベンゾトリアゾール（２ＨＭＰＢ）、２−｛２′−ハイドロキシ−３′−ｔ−ブチル−５′−メチルフェニル｝−５−クロロベンゾトリアゾール（２ＨＢＭＰＣＢ）、２−｛２′−ハイドロキシ−３′，５′−ジ−ｔ−ブチルフェニル｝−５−クロロベンゾトリアゾール（２ＨＤＢＰＣＢ）などのベンゾトリアゾール基を持つ化合物、エチル−２−シアノ−３，３−ジ−フェニルアクリレートなどのジフェニルアクリレート基を持つ化合物、あるいは２−ハイドロキシ−４−メトキシベンゾフェノン（ＨＭＢＰ）、２−ハイドロキシ−４−メトキシベンゾフェノン−５−スルフォニックアシド（ＨＭＢＰＳ）などのベンゾフェノン基を持つ化合物の中から選ばれた１種若しくは２種以上を挙げることができる。
【００２６】
上述の優れた制振性能を導くための活性成分の配合量としては、ベース材料１００重量部に対して１０〜２００重量部の割合とするのが望ましい。この活性成分の配合量の範囲は、例えば１０重量部を下回る場合、双極子モーメントの量を増大させるという活性成分を配合したことによる十分な効果が得られなくなり、２００重量部を上回る場合には、活性成分がベース材料中に十分に相溶しなかったりすることがある。
【００２７】
またこの制振材には、上記ベース材料の粘弾特性をコントロールするため無機充填材を充填することができる。また制振材には、必要に応じて酸化防止剤、補強剤・強化剤、帯電防止剤、難燃剤、滑剤、発泡剤、着色剤などの添加剤を適宜混合することもできる。尚、上記無機充填材としては、例えばマイカ鱗片、ガラス片、グラスファイバー、カーボンファイバー、炭酸カルシウム、バライト、沈降硫酸バリウムなどを挙げることができる。
【００２８】
尚、図示してしないが、ガイドレール１６のシャッターカーテン１３と接触する側面にガイドレール１６の長さ方向に渡って制振材を配置することもできる。この場合、ガイドレール１６に配置した制振材が、上述の下枢着部１２ｅ及び上枢着部１２ａ内に配置した制振材２０と共働して、シャッターカーテン１３とガイドレール１６との間で生じるガタ付き音をより効果的に防止できるようになる。
【００２９】
尚、本発明の範囲は、図面に示した形態に限定されず、例えばシャッタースラット１２の板状部１２ｂ全面に制振材を貼り付けるなど、「特許請求の範囲」に記載された範囲で自由に変更することができる。
【００３０】
【実施例】
図１〜図３に示すように、長さ５０ｃｍ×高さ３．４ｃｍのシャッタースラット１２を上下に１５個連結したシャッターカーテン１３であって、下枢着部１２ｅ及び上枢着部１２ａ内に、ＡＢＳ樹脂（ノバロイＡ１５００、ダイセル化学工業株式会社製）をベース材料とし、このベース材料にＣＢＳ（サンセラ−ＣＭ−Ｇ、三新化学工業株式会社製）を７０／３０の重量比率で配合した制振材２０を配置したシャッターカーテン１３（実施例）と、図８に示すように、制振材を配置しないシャッターカーテン３（比較例）とについて、これら実施例または比較例の各シャッターカーテン１３、３の上辺を固定して吊り下げ状態とする共に、各シャッターカーテン１３、３が略Ｕ字状となるように下辺を上辺の高さ位置まで持ち上げる。
【００３１】
次いで、各シャッターカーテン１３、３の下辺を離して、そのときに生じる騒音レベル（ｄＢ）を測定した。その結果を図７に示す。
【００３２】
図７から、図１〜図３に示す騒音対策を施した実施例に係るシャッターカーテン１３と、図８に示す対策を施していない比較例に係るシャッターカーテン３とにおける騒音レベル（ｄＢ）の差は約８ｄＢとなっている。
【００３３】
このことから図１〜図３に示す上下枢着部１２ａ、１２ｅ内に制振材２０を配置したシャッターカーテン１３がいかに防音性に優れているか、また活性成分を含む制振材を配置したシャッターカーテン１３がさらに防音性に優れていることが確認された。
【００３４】
【発明の効果】
本発明の静音シャッターは、シャッタースラットの回動自在に遊合する上下枢着部内に、ベンゾチアジル基を持つ化合物、ベンゾトリアゾール基を持つ化合物、ジフェニルアクリレート基を持つ化合物、あるいはベンゾフェノン基を持つ化合物からなる活性成分を含む制振材を配置したことから、当該シャッターを開閉する時に、シャッタースラット同士の衝突、摺接により発生する騒音、あるいはシャッターを閉めたときのシャッターカーテンとガイドレールとの間で生じるガタ付き音を効果的に防止することができる。
【図面の簡単な説明】
【図１】本発明の静音シャッターの全体を示す側面図。
【図２】本発明の静音シャッターのシャッタースラットを示す拡大斜視図。
【図３】同じくシャッタースラットの連結部分を示す要部拡大断面図。
【図４】ベース材料における双極子を示した模式図である。
【図５】エネルギーが加わったときのベース材料における双極子の状態を示した模式図。
【図６】活性成分が配合されたときのベース材料における双極子の状態を示した模式図。
【図７】実施例１及び２に係る静音シャッターにおけるシャッターカーテンと、比較例に係るシャッターカーテンとについて、それらを揺動させたときに生じる騒音レベル（ｄＢ）を測定した結果を示すグラフ。
【図８】従来のシャッターの全体を示す側面図。
【符号の説明】
１２・・・シャッタースラット
１２ａ・・・上枢着部
１２ｂ・・・板状部
１２ｃ・・・水切り部
１２ｄ・・・斜め下端寄り部
１２ｅ・・・下枢着部
１３・・・シャッターカーテン
１４・・・巻取ドラム
１５・・・シャッターケース
１６・・・ガイドレール
２０・・・制振材
【図１】
0003968393.tif 000002
【図２】
0003968393.tif 000003
【図３】
0003968393.tif 000004
【図４】
0003968393.tif 000005
【図５】
0003968393.tif 000006
【図６】
0003968393.tif 000007
【図７】
0003968393.tif 000008
【図８】
0003968393.tif 000009